(57)【要約】      （修正有）【課題】腕時計ケースのミドル部を損傷させてしまうリスクがなく小型の押しボタンをアクチュエートするのに適した工具を提供する。【解決手段】小型の携行可能な物に取り付けられたコレクター押しボタン１をアクチュエートするアクチュエーション工具３０に関する。このアクチュエーション工具３０は、当該アクチュエーション工具３０のグリップ領域を定めるリヤ端と、当該アクチュエーション工具３０のアクチュエーション領域を定めるフロント端３２ｂの間に延在している本体３２を有し、当該アクチュエーション工具３０の少なくとも前記フロント端３２ｂは、磁化されている。【選択図】図１
2019086512.tif 000002
【特許請求の範囲】
【請求項１】
小型の携行可能な物に取り付けられたコレクター押しボタン（１）をアクチュエートするように構成しているアクチュエーション工具（３０）であって、
このアクチュエーション工具（３０）は、当該アクチュエーション工具（３０）のグリップ領域を定めるリヤ端（３２ａ）と、当該アクチュエーション工具（３０）のアクチュエーション領域を定めるフロント端（３２ｂ）の間に延在している本体（３２）を有し、
当該アクチュエーション工具（３０）の少なくとも前記フロント端（３２ｂ）は、磁化されており、
前記携行可能な物は、前記コレクター押しボタン（１）が配置されているミドル部（６）を有し、
前記コレクター押しボタン（１）の少なくとも１つの部品又は前記コレクター押しボタン（１）を直接囲むミドル部（６）の領域（２２）は、強磁性体のような磁性材料で作られており、
これによって、当該アクチュエーション工具（３０）が前記携行可能な物の方に動くと、当該アクチュエーション工具（３０）は、前記コレクター押しボタン（１）又は前記ミドル部（６）の前記少なくとも１つの領域（２２）によってはたらく磁気的引力の影響の下で、前記コレクター押しボタン（１）と自発的に接触するようになる
ことを特徴とするアクチュエーション工具。
【請求項２】
当該アクチュエーション工具のフロント端（３２ｂ）に配置された棒磁石（３４）を有する
ことを特徴とする請求項１に記載のアクチュエーション工具。
【請求項３】
当該アクチュエーション工具（３０）の前記本体（３２）は、磁性材料で作られている
ことを特徴とする請求項１に記載のアクチュエーション工具。
【請求項４】
計時器のような小型の携行可能な物であって、
この携行可能な物は、ミドル部（６）を有しており、このミドル部（６）にある開口（４）に、コレクター押しボタン（１）が配置されており、
前記コレクター押しボタン（１）の少なくとも１つの部品又は前記コレクター押しボタン（１）を直接囲むミドル部（６）の少なくとも１つの領域（２２）は、強磁性体のような磁性材料で作られており、
このコレクター押しボタン（１）は、本体（３２）を有するアクチュエーション工具（３０）によってアクチュエートされるように構成しており、
この本体（３２）は、前記アクチュエーション工具（３０）のグリップ領域を定めるリヤ端（３２ａ）と、前記アクチュエーション工具（３０）のアクチュエーション領域を定めるフロント端（３２ｂ）の間に延在しており、
前記アクチュエーション工具（３０）の少なくとも前記フロント端（３２ｂ）は、磁化されており、
これによって、当該アクチュエーション工具（３０）が前記携行可能な物の方に動くと、当該アクチュエーション工具（３０）は、前記コレクター押しボタン（１）又は前記ミドル部（６）の前記少なくとも１つの領域（２２）によってはたらく磁気的引力の影響の下で、前記コレクター押しボタン（１）と自発的に接触するようになる
ことを特徴とする携行可能な物。
【請求項５】
請求項１に記載のアクチュエーション工具（３０）及び請求項４に記載の携行可能な物を有するアセンブリー。
【請求項６】
小型の携行可能な物に取り付けられたコレクター押しボタン（１）をアクチュエートするアクチュエーション工具（３０）を有するアセンブリーであって、
このアクチュエーション工具（３０）は、本体（３２）を有し、
この本体（３２）は、前記アクチュエーション工具（３０）のグリップ領域を定めるリヤ端（３２ａ）と、前記アクチュエーション工具（３０）のアクチュエーション領域を定めるフロント端（３２ｂ）との間に延在しており、
前記アクチュエーション工具（３０）の少なくとも前記フロント端（３２ｂ）は、強磁性体で作られており、
前記携行可能な物は、ミドル部（６）を有し、このミドル部（６）にある開口内に、コレクター押しボタン（１）が配置されており、
前記コレクター押しボタン（１）の少なくとも１つの部品又は前記コレクター押しボタン（１）を直接囲む前記ミドル部（６）の少なくとも１つの部分（２２）は、磁化された材料で作られている
ことを特徴とするアセンブリー。
【発明の詳細な説明】
【技術分野】
【０００１】
本発明は、計時器のような小型の携行可能な物に取り付けられたコレクターをアクチュエートする工具に関する。本発明は、特に、グランドコンプリケーション腕時計やスマートフォンのような携行可能な物に慣例的に取り付けられているコレクターとして知られている小型の押しボタンをアクチュエートする工具に関する。
【背景技術】
【０００２】
一部の腕時計、特に、いわゆるグランドコンプリケーション腕時計は、単一の巻き及び訂正用リュウズではすべてを訂正することができないような多くの機能をユーザーに提供している。このため、このような腕時計は、押しボタンのような付加的な制御手段を有する。押しボタンにはいろいろなタイプがあり、例えば、典型的には腕時計のミドル部に埋め込まれており通常尖っている道具を用いてアクチュエートされる小型の押しボタンがある。このような小型の押しボタンは、伝統的に、押し込まれ、接着され、又はねじ込まれて腕時計のミドル部に形成された開口内に配置されたソケットと、及びこのソケット内において自由に摺動することに適した円筒状の制御棒とを有する。このソケットには、ケースの外側にて、制御棒の第１の部分の寸法に適合する第１の筒状通路と、ケースの内側にて、第１の筒状通路から延在するように構成している第２の筒状通路とがあり、制御棒の第２の部分の寸法に適合する内径は、第１の筒状通路の内径よりも小さい。制御棒の第１の部分の周部に形成されるアンダーカットに収容されるパッキングシールによって、制御棒とソケットの間の密着性を確実にすることができる。このような押しボタンは、さらに、ユーザーが小型の押しボタンを押したときに圧縮されるらせん状のばねを有する。ユーザーが押しボタンに対する圧力を開放すると、このばねの復帰力によって、制御棒が安静位置に戻される。
【０００３】
上記のタイプの押しボタンは、寸法が非常に小さい。したがって、このような押しボタンによって、空間を節約することができる。また、このような押しボタンは、ミドル部から突き出ず、したがって、不本意にアクチュエートされにくい。訂正操作は、らせん状のばねの復帰力に対抗するようにペンのような尖っている道具によってソケット内の制御棒を押すことによって行われる。このことには以下のような課題がある。実際に、前記のように、このような押しボタンは、グランドコンプリケーション腕時計に取り付けられることが最も多い。このような腕時計は極めて高価であり、そのケースが非常に高価な材料で作られていることは非常に多い。しかし、尖っている機器を取り扱うときに腕時計ケースを破損してその美的外観を変えてしまうリスクは大きく、このことは受け入れがたい。もちろん、ワークショップに腕時計を持ち込んで再び研磨してもらうという選択肢もある。しかし、これではあまり利便性が良くない。
【０００４】
スマートフォンのような他の小型の携行可能な物においても上記のタイプの押しボタンがあるものがあり、そのアクチュエーションによってそのスマートフォンの電子回路をリセットさせることがよく行われている。
【発明の概要】
【発明が解決しようとする課題】
【０００５】
本発明の目的は、時計師の他、とりわけ腕時計を着用するすべての人による使用に適しており、腕時計ケースのミドル部を損傷させてしまうリスクがなくコレクターとしても知られている小型の押しボタンをアクチュエートするのに適した工具を提供することによって、前記課題及び他の課題を解決することである。また、本発明に係る工具は、スマートフォンなどに取り付けられスマートフォンのオペレーティングシステムをリセットすることなどを行うコレクターをアクチュエートするためにも用いることができる。
【課題を解決するための手段】
【０００６】
このために、本発明は、小型の携行可能な物に取り付けられたコレクター押しボタンをアクチュエートするように構成しているアクチュエーション工具に関する。このアクチュエーション工具は、当該アクチュエーション工具のグリップ領域を定めるリヤ端と、当該アクチュエーション工具のアクチュエーション領域を定めるフロント端の間に延在している本体を有し、当該アクチュエーション工具の少なくとも前記フロント端は、磁化されており、前記携行可能な物は、内部に前記コレクター押しボタンが配置されているミドル部を有し、前記コレクター押しボタンの少なくとも１つの部品又は前記コレクター押しボタンを直接囲むミドル部の領域は、強磁性体のような磁性材料で作られており、これによって、当該アクチュエーション工具が前記携行可能な物の方に動くと、当該アクチュエーション工具は、前記コレクター押しボタン又は前記ミドル部の前記少なくとも１つの領域によってはたらく磁気的引力の影響の下で、前記コレクター押しボタンと自発的に接触するようになる。
【０００７】
本発明の１つの実施形態によると、当該アクチュエーション工具のフロント端に棒磁石が配置されている。
【０００８】
さらなる実施形態によると、当該アクチュエーション工具の前記本体は、磁性材料で作られている。
【０００９】
本発明は、さらに、計時器のような小型の携行可能な物に関する。この携行可能な物は、ミドル部を有しており、このミドル部にある開口に、コレクター押しボタンが配置されており、前記コレクター押しボタンの少なくとも１つの要素又は前記コレクター押しボタンを直接囲むミドル部の少なくとも１つの領域は、強磁性体のような磁性材料で作られており、このコレクター押しボタンは、本体を有するアクチュエーション工具によってアクチュエートされるように構成しており、この本体は、前記アクチュエーション工具のグリップ領域を定めるリヤ端と、前記アクチュエーション工具のアクチュエーション領域を定めるフロント端の間に延在しており、前記アクチュエーション工具の少なくとも前記フロント端は、磁化されており、これによって、当該アクチュエーション工具が前記携行可能な物の方に動くと、当該アクチュエーション工具は、前記コレクター押しボタン又は前記ミドル部の前記少なくとも１つの領域によってはたらく磁気的引力の影響の下で、前記コレクター押しボタンと自発的に接触するようになる。
【００１０】
本発明は、さらに、小型の携行可能な物に取り付けられたコレクター押しボタンをアクチュエートするアクチュエーション工具を有するアセンブリーに関する。このアクチュエーション工具は、本体を有し、この本体は、前記アクチュエーション工具のグリップ領域を定めるリヤ端と、前記アクチュエーション工具のアクチュエーション領域を定めるフロント端との間に延在しており、前記アクチュエーション工具の少なくとも前記フロント端は、磁化されており、前記携行可能な物は、ミドル部を有し、このミドル部にある開口内に、押しボタンタイプのコレクターが固定されており、前記コレクター押しボタンの少なくとも１つの要素又は前記コレクター押しボタンを直接囲む前記携行可能な物の前記ミドル部の少なくとも１つの領域は、強磁性体のような磁性材料で作られており、その第１の磁極は、磁化されている前記アクチュエーション工具の第２の磁極に対向するように構成している。
【００１１】
本発明は、さらに、小型の携行可能な物に取り付けられた押しボタンタイプのコレクターをアクチュエートするアクチュエーション工具を有するアセンブリーに関する。このアクチュエーション工具は、本体を有し、この本体は、前記アクチュエーション工具のグリップ領域を定めるリヤ端と、前記アクチュエーション工具のアクチュエーション領域を定めるフロント端との間に延在しており、前記アクチュエーション工具の少なくとも前記フロント端は、強磁性体で作られており、前記携行可能な物は、ミドル部を有し、このミドル部にある開口内に、押しボタンタイプのコレクターが固定されており、前記コレクター押しボタンの少なくとも１つの要素又は前記コレクターを直接囲む前記ミドル部の少なくとも１つの領域は、磁化された材料で作られている。
【００１２】
これらの特徴のおかげで、本発明は、コレクターによって又はコレクターに近い環境によってはたらく磁気的引力の影響の下で、コレクターの中心にてコレクターと自発的に接触するようなアクチュエーション工具を提供する。これによって、ユーザーは、コレクターをアクチュエートできるようにするためにアクチュエーション工具を押すことだけしか必要ない。ユーザーがコレクターをアクチュエートしようとするときに、コレクターを装備する携行可能な物のミドル部でアクチュエーション工具がスリップしてミドル部を引っ掻くリスクは低い又はない。
【００１３】
上記から理解することができるように、アクチュエーション工具と携行可能な物の間の以下のような様々な組み合わせを考え出すことができる。
−  アクチュエーション工具には磁気極性があり、コレクター又はその近い環境は、アクチュエーション工具の極性とは反対の磁気極性を有する。
−  アクチュエーション工具には磁気極性があり、コレクター又はその近い環境は、強磁性体で作られている。
−  アクチュエーション工具は強磁性体で作られており、コレクター又はその近い環境は、磁気極性を有する。
【００１４】
図面を参照しながら本発明に係るアクチュエーション工具の実施形態の２つの異なる例についての下記の詳細な説明を読むことによって、本発明のさらなる特徴や利点が明白になるであろう。これらは、単なる例であって、これらに限定されるものではない。
【図面の簡単な説明】
【００１５】
【図１】本発明に係るアクチュエーション工具によってアクチュエートされるコレクター押しボタンの実施形態の斜視図である。
【図２】図２Ａは、磁石を備える本発明に係るアクチュエーション工具の長手方向の断面図であり、図２Ｂ及び２Ｃはそれぞれ、本発明に係るコレクター押しボタンの長手方向の断面図及び立面断面図である。これは、強磁性体で作られた少なくとも１つの部品を有しており、図２Ａにおけるアクチュエーション工具に適している。
【図３】図３Ａは、磁石を備える本発明に係るアクチュエーション工具の長手方向の断面図であり、図３Ｂ及び３Ｃはそれぞれ、強磁性リングとともに用いられ図３Ａにおけるアクチュエーション工具に適している本発明に係るコレクター押しボタンの長手方向の断面図及びコレクター押しボタンと立面断面図である。
【図４】図４Ａは、磁石を備える本発明に係るアクチュエーション工具の長手方向の断面図であり、図４Ｂ及び４Ｃはそれぞれ、本発明に係るコレクター押しボタンの長手方向の断面図と立面断面図である。これは、２つの強磁性のスタッドとともに用いられ、図４Ａのアクチュエーション工具に適している。
【図５】図５Ａは、強磁性体で作られた本発明に係るアクチュエーション工具の長手方向の断面図であり、図５Ｂ及び５Ｃはそれぞれ、本発明に係るコレクター押しボタンの長手方向の断面図と立面断面図である。これは、２つの離散的なバイポーラー磁石とともに用いられ、図５Ａのアクチュエーション工具に適している。
【図６】図６Ａは、磁石を備える本発明に係るアクチュエーション工具の長手方向の断面図であり、図６Ｂ及び６Ｃはそれぞれ、本発明に係るコレクター押しボタンの長手方向の断面図と立面断面図である。これは、環状磁石とともに用いられ、図６Ａのアクチュエーション工具に適している。
【発明を実施するための形態】
【００１６】
本発明は、コンプリケーション腕時計やスマートフォンのような携行可能な物のミドル部に埋め込まれたコレクタータイプの押しボタンを、そのような携行可能な物のミドル部を破損するリスクがなくアクチュエートするために適したアクチュエーション工具を提供するという大きな創造性のあるアイデアから発生したものである。このようなミドル部は、特に腕時計の場合には高価な材料で作られていることが非常に多い。この目標を達成するために、本発明は、アクチュエーション工具を使用して、コレクター又はコレクターの近くのミドル部の部分によってはたらく磁気的引力によって、アクチュエーション工具の先端をコレクターの中心にガイドすることを開示する。アクチュエーション工具がセンタリングされてコレクター上に配置された後は、ユーザーは、コレクターを押してコマンドを入力するだけでよい。このようにして、ミドル部にてアクチュエーション工具の端がスリップしてミドル部を損傷させてしまうリスクがなくなる。
【００１７】
図１は、本発明に係るアクチュエーション工具によってアクチュエートされるコレクタータイプの押しボタンの１つの実施形態の斜視図である。なお、このようなコレクター押しボタンの説明が単なる例であって、これに何ら制限されることはないことを理解することができるであろう。以下において、このようなコレクター押しボタンは、伝統的なタイプのコレクター押しボタンに基づいているが、その構造は、部品が作られる材料の選択について変更するだけでよい。なお、本発明のいくつかの実施形態においては、コレクター押しボタンの構造は変わらない。
【００１８】
全体にて符号１によって示したコレクタータイプの押しボタンは、伝統的に、ソケット２を有しており、このソケット２は、例えば、押し込まれ又は接着されて、携行可能な物のミドル部６に形成された開口４内に配置される。この携行可能な物は、例えば、ミドル部が高価な材料で作られている腕時計であったり、スマートフォンであったりする。
【００１９】
ソケット２内にて摺動させるために、円筒状の制御棒８が適している。この目的のために、ソケット２には、第１の筒状通路１０ａがある。これは、携行可能な物のミドル部６の外側に開いており、制御棒８の第１の部分１２ａの寸法に適合している。ミドル部６の内側にて、ソケット２には、第１の筒状通路１０ａから延在するように構成している第２の筒状通路１０ｂがあり、これは、ソケット２内にて肩部１４を定めている。この第２の筒状通路１０ｂの内径は、制御棒８の第２の部分１２ｂの寸法に適合しており、第１の筒状通路１０ａの内径よりも小さい。制御棒８の第１の部分１２ａの周部に形成されたアンダーカットに収容されるパッキングシール１６によって、制御棒８とソケット２の間の密着性を確実にすることができる。また、このようなコレクター押しボタン１は、ユーザーがコレクター押しボタン１を押したときに圧縮されるらせん状のばね１８を有する。このばね１８の復帰力によって、ユーザーがコレクター押しボタン１に対する圧力を解放したときに制御棒８が安静位置に戻る。このらせん状のばね１８は、一方の端において制御棒８の第１の部分１２ａに固定マウントされたワッシャー２０を押し、他方の端において肩部１４を押す。
【００２０】
上記のタイプの押しボタンは、非常に小さな寸法を有する。したがって、このような押しボタンによって、空間を節約することが可能になる。さらに、このような押しボタンは、ミドル部から突き出ず、したがって、不本意にアクチュエートされにくい。このような押しボタンは、コンプリケーション腕時計として知られている最高級腕時計に取り付けられることが多い。訂正操作は、ペンのような尖っている道具によって行われる。しかし、このために課題が発生する。実際に、グランドコンプリケーション腕時計は高価な腕時計であり、そのケースは高価な材料を用いて作られることが多い。そして、尖っている道具を取り扱っているときに腕時計ケースを破損し、その美的外観を変えてしまうリスクは大きく、このことは受け入れがたい。
【００２１】
この課題を解決するために、本発明は、上に詳細に説明したコレクター押しボタン１の部品の少なくとも１つを強磁性体、すなわち、磁化可能な材料、を用いて作ることを開示する（図２Ｂ及び２Ｃを参照）。このような部品は、例として、ソケット２又は制御棒８であり、又は同時にこれらの２つの部品である。なお、これに限定されない。例えば、制御棒８が強磁性体で作られている場合、携行可能な物のミドル部６は、好ましくは、磁化されない材料で作られている。
【００２２】
しかし、コレクター押しボタン１のすぐ近くに位置している携行可能な物のミドル部６の少なくとも１つの部分２２が強磁性体で作られているようにすることも考え出すことができる。好ましくは、このミドル部６の部分２２は、コレクター押しボタン１のまわりの円対称に配置される。この部分２２は、例えば、ソケット２のまわりに同心的に配置されたリング２４によって構成することができる（図３Ｂ及び３Ｃを参照）。また、前記部分２２は、例えば、強磁性体で作られた２つのスタッド２６ａ及び２６ｂによって構成することができ、これらは、好ましくは、制御棒８によって象徴されるコレクター押しボタン１の中心２８に対して直径的に反対側の形態で配置される（図４Ｂ及び４Ｃを参照）。また、コレクター押しボタン１の部品のいずれも強磁性体で作られておらず、ミドル部６の部分２２のみがこのような強磁性体で作られているようにすることも考え出すことができる。
【００２３】
用語「すぐ近く」は、ユーザーが本発明に係るアクチュエーション工具３０をコレクター押しボタン１の近くの方に動かしたときにこのアクチュエーション工具３０に及ぼされる磁気的引力がこの工具３０を制御棒８の方へと、すなわち、コレクター押しボタン１の中心２８の方へと、ガイドするように、ミドル部６の部分２２がコレクター押しボタン１の十分近くに配置されていることを表している。この場合、ユーザーはアクチュエーション工具３０を押すだけでコレクター押しボタン１をアクチュエートすることができる。
【００２４】
より詳細には、本発明に係るアクチュエーション工具３０は、本体３２を有し、この本体３２は、このアクチュエーション工具３０のグリップ領域を定めるリヤ端３２ａと、この工具３０のアクチュエーション領域を定めるフロント端３２ｂとの間に延在している。本発明の１つの実施形態によると、アクチュエーション工具３０は、全体が磁性材料で作られており、ミドル部の少なくとも１つの部分２２及び／又はコレクター押しボタン１の部品の少なくとも１つが作られている強磁性体によって引きつけられる。したがって、アクチュエーション工具３０が携行可能な物の方に動くと、このアクチュエーション工具３０は、コレクター押しボタン１によってその中心２８の方へと抵抗できないように引きつけられる。図２Ａ、３Ａ、４Ａ及び６Ａに示している本発明のさらなる実施形態によると、本体３２のフロント端３２ｂにて形成されアクチュエーション工具３０のアクチュエーション領域を定めるハウジング３６内に、棒磁石３４が配置される。
【００２５】
上記の実施形態は、特に有利である。なぜなら、アクチュエーション工具３０の側にて棒磁石３４のみが関わり、ミドル部６及び／又はコレクター押しボタン１が単に強磁性体を有するだけであり、携行可能な物によってアクチュエーション工具３０にはたらく磁気的引力を確実にするために磁石の極性を気にする必要性がないからである。
【００２６】
本発明のさらなる実施形態は、アクチュエーション工具のすべて又は一部を強磁性体で作り、携行可能な物にバイポーラー磁石を配置することを伴う。これによって、アクチュエーション工具３０のアクチュエーション領域を定めるフロント端３２ｂを強磁性体で作り、コレクター押しボタン１の少なくとも１つの部品、例えば、制御棒８やソケット２、を磁性材料で作ることを考え出すことができる（図５Ａを参照）。また、少なくとも１つ、好ましくは、２つの離散的なバイポーラー磁石３８ａ及び３８ｂを、好ましくは、コレクター押しボタン１の中心２８に対して直径的に反対側の形態で配置することを考え出すことができる。また、離散的なバイポーラー磁石３８ａ、３８ｂを、これらから短い距離にある、コレクター押しボタン１のソケット２のまわりに配置された環状磁石４０によって置き換えることができる（図５Ｂ及び５Ｃ）。
【００２７】
また、この場合、バイポーラー磁石３８、４０は、携行可能な物によるアクチュエーション工具３０の磁気的引力を確実にするために磁石の極性を気にすることが必要ではないように、携行可能な物の側でのみ備えられる。
【００２８】
本発明のさらなる実施形態によると、バイポーラー磁石４２は、アクチュエーション工具３０のアクチュエーション領域のフロント端３２ｂに配置され（図６Ａ）、コレクター押しボタン１の少なくとも１つの部品、及び／又はミドル部６の少なくとも１つの部分２２は、磁性材料で作られている（図６Ｂ及び６Ｃ）。この実施形態において、アクチュエーション工具の磁気極性がコレクター押しボタン１の磁気極性の反対であることを確実にすることが必要であることを理解することができるであろう。
【００２９】
本発明が上記の実施形態に限定されず、請求の範囲にて定められる本発明の範囲を逸脱せずに、当業者によって様々な改変及び単純な代替実施形態を考え出すことができることは明らかである。
【符号の説明】
【００３０】
１  コレクター押しボタン
２  ソケット
４  開口
６  ミドル部
８  制御棒
１０ａ  第１の筒状通路
１０ｂ  第２の筒状通路
１２ａ  第１の部分
１２ｂ  第２の部分
１４  肩部
１６  パッキングシール
１８  らせん状のばね
２０  ワッシャー
２２  部分
２４  リング
２６ａ、２６ｂ  スタッド
２８  中心
３０  アクチュエーション工具
３２  本体
３２ａ  リヤ端
３２ｂ  フロント端
３４  棒磁石
３６  ハウジング
３８ａ、３８ｂ  離散的なバイポーラー磁石
４０  環状磁石
４２  バイポーラー磁石
【図１】
2019086512.tif 000003
【図２】
2019086512.tif 000004
【図３】
2019086512.tif 000005
【図４】
2019086512.tif 000006
【図５】
2019086512.tif 000007
【図６】
2019086512.tif 000008